(57)【要約】【課題】  小型カードを排出する機構において、外部から操作されるイジェクトボタンと連結するリンク機構が必要であり、部品点数も多く、各部品を介して力を伝えているために故障や破損の可能性があるという課題を有していたため、一部品で容易に小型カードの排出が行え、故障等による問題の少ない電子機器の小型カード排出機構を提供する。【解決手段】  電子機器の少なくとも一辺に小型カードを収納可能とする収納部を具備した電子機器において、小型カードが装着される方向と同一方向に移動する排出手段となるイジェクトレバーを設け、小型カード収納部内に移動可能としたことことを特徴とする電子機器の小型カード排出機構とすることにより、上記課題を解決できる。【選択図】  図２
2007026914.tif 000002
【特許請求の範囲】
【請求項１】
電子機器の一辺に小型カードを収納可能とする収納部を具備した電子機器の小型カード排出機構において、
前記小型カードが挿抜される方向と同一方向に移動する排出手段を設け、前記排出手段には、本体ケースに取付け可能とする取付け手段を具備し、取付け手段は小型カード収納部内に移動可能としたことを特徴とする電子機器の小型カード排出機構。
【請求項２】
前記取付け手段は、弾性片を有し、前記弾性片の一端面が小型カードの端面と接する位置に配設したことを特徴とする請求項１記載の電子機器の小型カード排出機構。
【請求項３】
前記取付け手段に形成している弾性片は、先端に爪形状を形成したことを特徴とする請求項２記載の電子機器の小型カード排出機構。
【請求項４】
小型カードを収納可能とする収納部を複数具備した電子機器の小型カード排出機構において、
前記小型カードが挿抜される方向と同一方向に移動する排出手段を設け、前記排出手段には、本体ケースに取付け可能とする取付け手段を具備し、取付け手段は小型カード収納部内に移動可能であり、複数の小型カードを同一の排出手段で排出することを特徴とする電子機器の小型カード排出機構。
【請求項５】
前記取付け手段は、弾性片を有し、前記弾性片の一端面が小型カードの端面と接する位置に配設したことを特徴とする請求項４記載の電子機器の小型カード排出機構。
【請求項６】
前記取付け手段に形成している弾性片は、先端に爪形状を形成したことを特徴とする請求項５記載の電子機器の小型カード排出機構。
【発明の詳細な説明】
【技術分野】
【０００１】
本発明は電子機器内に装着された小型カードを排出する排出機構に関するものである。
【背景技術】
【０００２】
従来の小型カードの排出機構では、イジェクトボタンと連結するリンク機構を用いて排出することが利用されている。
【０００３】
以下、図５を参照しながら、従来の小型カードの排出機構について説明する。図５において、５０１は小型カード収納部でイジェクトボタン５０２は前記小型カード収納部の側壁に隣接している。前記小型カード収納部の後端内部には、押し圧片５０３を有している。押し圧片５０３は、小型カードを排出するためのリンク機構５０４の一部であり、前記リンク機構５０４は、外部から操作される前記イジェクトボタン５０２と連結されている。
【０００４】
このような構成において、小型カードを排出するには、電子機器の使用者は、イジェクトボタン５０２を押し込み（小型カードの挿入と同一方向）、力をリンク機構５０４に伝達して、押し圧片５０３は小型カードを排出する方向に移動し、小型カードと当接しながら押し出すことにより、小型カード収納部外部へ押しだし排出させていた。（例えば、特許文献１〜３参照）
【特許文献１】特開２０００−２５９７８２号公報
【特許文献２】特開２００２−２８０１１５号公報
【特許文献３】特開２００１−１３４３４２号公報
【発明の開示】
【発明が解決しようとする課題】
【０００５】
然しながらこのような従来の機構では、外部から操作されるイジェクトボタンと連結するリンク機構が必要であり、部品点数も多く、各部品を介して力を伝えているために故障や破損の可能性があるという課題を有していた。また、小型カードの排出機構は、小型カード接続部品であるコネクタを本体外装部品と組み合わせて使用するため、汎用性を考慮してイジェクトボタンを使用することが一般的であり、簡単な構成で確実な小型カードの排出機構が待望されていた。
【課題を解決するための手段】
【０００６】
前記課題を解決するために、本発明は小型カードが挿抜される方向に移動する排出手段を設け、前記排出手段には、本体ケースに取り付けられる取付け手段を具備し、取付け手段は、小型カード収納部内に移動可能とした構成としている。
【０００７】
また、請求項２記載の発明では、排出手段に設けられた取付け手段を弾性片とし、弾性片の一端面が小型カード収納状態で小型カードに接する位置に配置した構成としている。
【０００８】
請求項３記載の発明では、弾性片の先端に爪形状を形成させ取付け手段としたものである。
【０００９】
また、請求項４記載の電子機器の小型カード排出は、電子機器の小型カードを収納可能とする収納部を複数具備し、小型カードが挿抜される方向に移動する排出手段を設け、前記排出手段には、本体ケースに取り付けられる取付け手段を具備し、取付け手段は、小型カード収納部内に移動可能とし、同一の排出手段で複数の小型カードを排出可能な構成と
している。
【００１０】
請求項５記載の発明は、電子機器の小型カードを収納可能とする収納部を複数具備し、排出手段に設けられた取付け手段を弾性片とし、弾性片の一端面が小型カード収納状態で小型カードに接する位置に配置した構成としている。
【００１１】
請求項６記載の発明は、電子機器の小型カードを収納可能とする収納部を複数具備し、向かい合う対辺側にも小型カードを収納可能とする収納部を具備し、弾性片の先端に爪形状を形成させ取付け手段としたものである。
【発明の効果】
【００１２】
本発明によると、部品点数を削減できるとともに、一部品で容易に且つ確実に小型カードの排出が行え、シンプルな構成としているために故障等による問題の少ない電子機器の小型カード排出が実現できる。
【発明を実施するための最良の形態】
【００１３】
以下、本発明の実施の形態について、図面を参照しながら説明する。図１は本発明の実施例における電子機器の全体斜視図、図２は電子機器の分解斜視図であり、図３は排出手段の斜視図である。
【００１４】
図２において、電子機器を分解した各部品を示しており、１は本体上ケース、２は本体下ケース、３は電池フタ、４はメインスイッチカバーで、５はスタートボタン、６はプリント基板であって電池リード及びＩＣ等（図示せず）が搭載されている。７はＬＥＤレンズ、８はねじ、９は排出手段であるイジェクトレバーであり、１０は板バネである。
【００１５】
次に各部品の詳しい説明をする。本体上ケース１は、メインスイッチカバー４が組みつけられる開口部１０１を形成しており、スタートスイッチボタン５、ＬＥＤレンズ７が挿入できる穴１０２、１０３を形成している。本体上ケース１の内面（図示せず）には、ねじ８が締付けられるボスを形成しており、後述する本体下ケース２と嵌め合わせを可能としている。また、ボスに横設して電池収納部（図示せず）を設けている。
【００１６】
本体下ケース２は、中央にイジェクトレバー９が組み込まれるように開口部２０１を形成しており、小型カードを収納できる収納部２０２を本体下ケース２の内面に設けている。本体下ケース２の側面には、挿入口２０３を形成し収納部２０２と連通している。収納部２０２には、小型カードをガイドするために左右の側壁２０４、２０５を設け、側壁２０５の中央に板バネ１０が装着できる装着部２０６を形成している。収納部２０２の後端部の壁面２０７は、開口部２０１と隣接する部分に、凹部２０８を形成している。２０９は、電池フタ嵌合部で電池フタ３が嵌め込まれ、電池の取り替えを可能としている。電池フタ３は、本体下ケース２の外形に添った形状で、電池フタ嵌合部２０９に取り付け可能としている。
【００１７】
メインスイッチカバー４は、操作面４０１の裏面側に後述するプリント基板に実装されたスライドスイッチ（図示せず）の操作部がと連接した構成としており、本体上ケース１の開口部１０１に嵌め込まれて、プリント基板６に実装されたスライドスイッチの電源切替えを操作できるものである。
【００１８】
スタートボタン５は、円径上のエラストマーなどを使用したゴム部品であり、メインスイッチ４と同様に、プリント基板６に搭載されたスイッチ（図示せず）に連接し、機能動作を伝達させる操作ボタンである。
【００１９】
プリント基板６は、フェノール樹脂などの絶縁材料に印刷配線パターンにて複数の信号回路導体を設け、グリーンレジストをしたものであり、半導体・スイッチ・ＬＥＤ・電池リード等（いずれも図示せず）を実装したものである。
【００２０】
ＬＥＤレンズ７は、プリント基板６に実装されたチップＬＥＤの発光を外部へ視認させるためのもので、本体上ケース１の穴１０３に嵌めこまれ固定させてある。ねじ８は、本体上ケース１と本体下ケース２を締め付け固定するものである。
【００２１】
排出手段であるイジェクトレバー９は、連結杆９０１、操作面９０２と取付け手段である弾性片９０３の大きく３つで構成されている。操作面９０２の裏面側中央より連結杆９０１が形成されており、連結杆９０１の先端から弾性片９０３が各コーナーより４箇所形成されている。各面に形成された弾性片９０３は間には、間隙９０４を設けており、弾性片９０３の弾性を可能としている。弾性片９０３の先端には、係止爪９０５が形成されている。板バネ１０は、固定部１００１と折曲部１００２からなる金属部品である。折曲部１００２は、「く」の字状に折り曲げている。
【００２２】
次に、図４、図５を用いて小型カードの排出について各部の係合状態と共に説明する。
【００２３】
図４は、本体下ケース２に排出手段であるイジェクトレバー９と板バネ１０を組み込んだ状態を示す要部拡大図である。図５は、小型カード１１が装着、排出された状態の斜視図である。
【００２４】
排出手段であるイジェクトレバー９の取り付けは、本体下ケース２に形成されている開口部２０１にイジェクトレバー９を押し込むことで、連結杆９０１から形成されている取付け手段の弾性片９０３は弾性し、開口部２０１の内部に弾性片９０３の先端の係止爪９０５が嵌りこみ、イジェクトレバー９は垂直方向（Ｚ方向）に挿入係止される。この時、取付け手段である弾性片９０３は、収納部２０２の後端部に形成された壁面２０７の凹部２０８を通して水平方向（Ｘ方向）移動可能となり、収納部２０２の内部に入り込むことが可能となる。この、移動量は本体下ケース２の開口部２０１の小型カード１１挿抜方向に対する寸法（Ａ）（図２に記載）とイジェクトレバー９の連結杆９０１の小型カード１１挿抜方向に対する幅寸法（Ｂ）（図３に記載）との関係であり、小型カード１１
の排出量を大きくしたければ、寸法（Ａ）を大きくするか、幅寸法（Ｂ）を小さくすることにより可能となる。
【００２５】
板バネ１０は、収納部２０２にの側壁２０５に隣接している装着部２０６に固定部１００１を圧入し固定され、折曲部１００２の「く」の字状に形成された先端は収納部２０２の内部に突出し、小型カード１１が収納部２０２に装着された際には、小型カード１１の側面を押さえ込み保持できるものである。
【００２６】
このように組み込まれた構成において、小型カード１１を排出する場合は、イジェクトレバー９を小型カード１１の排出方向に移動させることにより、弾性片９０３は、収納部２０２の後端部に形成された壁面２０７の凹部２０８を通して、収納部２０２の内部に入り込み、取付け手段の弾性片９０３の端面が、小型カード１１と直接当接し、板バネ１０により側面を押さえている力より強い力で移動させることで、小型カード１１は排出される。
【００２７】
また、請求項４記載の発明での１例は、小型カード１１を収納可能とする収納部２０２を向かい合う対辺側にも具備することにより、排出手段であるイジェクトレバー９を逆方向に移動させれば、小型カード１１を一つの部材で排出が可能となる。
【産業上の利用可能性】
【００２８】
以上の説明から明らかなように本発明によれば、電子機器の少なくとも一辺に小型カードを収納可能とする収納部を具備した、電子機器において、小型カードが挿抜される方向と同一方向に移動する排出手段となるイジェクトレバーを設け、イジェクトレバーには取付け手段となる弾性片を具備し、小型カード収納部内に移動可能としたことにより、一部品で容易に且つ確実な小型カードの排出が行え、シンプルな構成としているために故障等による問題の少ない電子機器の小型カード排出機構が実現できる。
【図面の簡単な説明】
【００２９】
【図１】本発明の係る実施例における電子機器の全体斜視図
【図２】同実施例の電子機器の分解斜視図
【図３】排出手段であるイジェクトレバーの斜視図
【図４】本体下ケースに排出手段であるイジェクトレバーと板バネを組み込んだ状態を示す要部拡大図面図
【図５】小型カード装着状態と排出状態を示す斜視図
【図６】従来の小型カード排出方式である分解斜視図
【符号の説明】
【００３０】
１  本体上ケース
２  本体下ケース
３  電池フタ
４  メインスイッチカバー
５  スタートボタン
６  プリント基板
７  ＬＥＤレンズ
８  ねじ
９  イジェクトレバー
１０  板バネ
１１  小型カード
１０１  開口部
１０２、１０３  穴
２０１  開口部
２０２  収納部
２０３  挿入口
２０４、２０５  側壁
２０６  装着部
２０７  壁面
２０８  凹部
２０９  電池フタ嵌合部
４０１  操作面
９０１  連結杆
９０２  操作面
９０３  弾性片
９０４  間隙
９０５  係止爪
１００１  固定部
１００２  折曲部
５０１  小型カード収納部
５０２  イジェクトボタン
５０３  押し圧片
５０４  リンク機構
【図１】
2007026914.tif 000003
【図２】
2007026914.tif 000004
【図３】
2007026914.tif 000005
【図４】
2007026914.tif 000006
【図５】
2007026914.tif 000007
【図６】
2007026914.tif 000008